(57)【要約】    プロセスユニット廃熱蒸気生成システムから電力を回収するためのプロセスを説明する。動力回収タービンは、プラント内の他のプロセスユニット又は機器で使用するために蒸気リボイラによって必要とされる圧力よりも低い圧力まで、過熱蒸気の流れの圧力を低減させる。  【選択図】図１
2021529285.tif 000002
【特許請求の範囲】
【請求項１】
プロセスユニット廃熱蒸気生成システムから電力を回収するためのプロセスであって、
第１の温度及び第１の圧力を有する過熱蒸気の流れ（５３０）を提供することと、
前記過熱蒸気の流れ（５３０）を第１の部分（５３５）及び第２の部分（５４０）に分割することと、
前記第１の部分（５３５）と一緒に蒸気リボイラ（５１０）内で塔（５０５）からの底部流（５８０）を加熱することと、
前記加熱された底部流（５８５）を前記塔（５０５）に導入することと、
前記過熱蒸気の前記第２の部分（５４０）を動力回収タービン（５９５）に通して方向付けて、前記第２の部分（５４０）の圧力を前記第１の圧力未満の第２の圧力まで低減させて、減圧流（６００）を形成することと、を含む、プロセス。
【請求項２】
前記減圧流（６００）を、蒸気ヘッダ、ポンプ、圧縮機、リボイラ、塔、又はプロセスユニットのうちの少なくとも１つに方向付けることを更に含む、請求項１に記載のプロセス。
【請求項３】
前記蒸気リボイラ（５１０）が、蒸気入口及び凝縮物出口を有する熱交換器を含み、
前記凝縮物（５９０）を凝縮物返送ヘッダに方向付けることを更に含む、請求項１又は２に記載のプロセス。
【請求項４】
前記過熱蒸気の前記第１の部分（５３５）の温度を前記第１の温度未満の第２の温度まで低下させて、前記底部流（５８０）を加熱する前に過熱低減流（５７０）を形成することを更に含む、請求項１又は２に記載のプロセス。
【請求項５】
前記第１の部分の前記温度が、前記第１の部分（５３５）を少なくとも１つの過熱低減器（５４５）に導入することによって低下され、前記第１の部分（５３５）の温度を前記第１の温度未満の第２の温度まで低下させて、過熱低減流（５７０）を形成する、請求項４に記載のプロセス。
【請求項６】
少なくとも２つの過熱低減器（５４５、５６５）が存在し、前記第２の過熱低減器（５７０）を出る前記過熱低減流の温度が、前記第１の過熱低減器（５４５）を出る前記過熱低減流の温度未満である、請求項５に記載のプロセス。
【請求項７】
前記少なくとも１つの過熱低減器（５４５）内に過熱低減水の流れ（５５０）を導入して、前記第１の部分（５３５）の前記温度を低下させることを更に含む、請求項５に記載のプロセス。
【請求項８】
前記第１の部分（５３５）を前記少なくとも１つの過熱低減器（５４５）に導入する前、及び前記第２の部分（５４０）を前記動力回収タービン（５９５）に通して方向付ける前に、前記過熱蒸気の流れ（５３０）の前記第１の圧力を増加させることを更に含む、請求項１又は２に記載のプロセス。
【請求項９】
前記過熱蒸気の流れ（５３０）が、前記第１の部分（５３５）を前記少なくとも１つの過熱低減器（５４５）内に導入する前に、前記第１の部分（５３５）及び前記第２の部分（５４０）に分割される、請求項１又は２に記載のプロセス。
【請求項１０】
前記プロセスの少なくとも１つのパラメータを検知し、前記検知から信号又はデータを生成すること、又は、
信号を生成して送信すること、又は、
データを生成して送信することのうちの少なくとも１つを更に含む、請求項１又は２に記載のプロセス。
【発明の詳細な説明】
【技術分野】
【０００１】
改質プロセスでは、一般に、各反応器の前にヒータを備えた少なくとも２つの改質器が存在する。改質反応は吸熱性であるため、チャージヒータ及び／又はインターヒータが使用され、第１の改質器からの流出物の温度を第２の（又は後続の）改質器の入口で必要とされる温度まで上昇させる。チャージヒータ及び／又はインターヒータは、燃焼区分内に煙道ガスを生成させ、その後、煙道ガスは共通の対流区分に進む。最後の改質器からの流出物は、複数の蒸留塔のうちの１つを含む分離区分内の様々な留分に分離される。
【０００２】
煙道ガスからの廃熱の少なくとも一部を回収するための１つの方法は、それを使用して、改質プロセス又はプラントの他の場所で使用するための高圧蒸気を生成することである。この場合、蒸気ドラムからの蒸気は、ヒータの対流区分から煙道ガスを使用して加熱される。
【０００３】
改質器から流出物を分留するために使用される蒸留塔は、典型的には、蒸気リボイラを含む。蒸気リボイラは、精製機内で利用可能なものよりも高い圧力で蒸気を必要とする場合がある。蒸気リボイラに必要とされる高圧蒸気は、多くの場合、他の機器及びプロセスに必要とされるものよりも高い。その結果、蒸気生成器は、蒸気リボイラによって必要とされるより高い動作圧力のために設計され、残りの蒸気の圧力は、蒸気を制御弁に通すことによって低減され、それによって、他の機器及びプロセスによって必要とされるより低い圧力で使用され得る。これにより、圧力が低減すると、かなりの量のエネルギーが浪費される。
【０００４】
したがって、最小限のエネルギー損失で高圧蒸気流を利用するための改善されたプロセスが必要とされている。
【図面の簡単な説明】
【０００５】
【図１】典型的な改質プロセスの図である。
【図２】蒸留塔用の蒸気リボイラに蒸気を提供する現在のプロセスの図である。
【図３】蒸留塔用の蒸気リボイラに蒸気を提供する本発明によるプロセスの図である。
【０００６】
概要及び詳細な説明
本プロセスは、蒸気リボイラを使用したプロセスのエネルギー効率、及びその結果としてコスト効率を向上させるように設計される。蒸気リボイラに必要な圧力は、他のプロセス及び機器に必要な圧力を超えるため、他の場所で蒸気を使用するために圧力を低減させなければならない。現在行われているように蒸気を制御弁に通すのではなく、蒸気は動力回収タービンを通じて送られて、さもなければ制御弁内で失われるエネルギーを回収する。全体的なプロセスのエネルギー効率は、動力回収に起因して増加する。
【０００７】
動力回収タービンは、蒸気リボイラに必要な圧力からより低い圧力へと高圧蒸気を低減する。より低い圧力は、蒸気リボイラに必要な圧力よりも低い任意の圧力であり得、プラントの蒸気要件に依存するであろう。代替的に、蒸気圧を蒸気リボイラの圧力よりも低い２つ以上の圧力まで低減させることを可能にする１つ以上の追加の動力回収タービンが含まれ得る。また、中間抽出引き込みを伴う単一の動力回収タービンを使用して、複数の圧力を達成することもできる。この構成では、車輪間にテークオフを有する同じシャフト上にいくつかの車輪が存在する。
【０００８】
更に、いくつかの場合では、初期蒸気圧は、動力回収を増加させるために、蒸気リボイラに必要とされるものよりも高くすることができる。いくつかの場合では、これにより、より効率的な動力回収タービンの使用が可能になる。
【０００９】
温度は、蒸気温度制御の任意の好適な方法を使用して低下され得る。好適な方法としては、過熱低減器などでの直接接触温度制御、又は間接熱交換が挙げられるが、これらに限定されない。
【００１０】
１つ以上の過熱低減器の使用は、煙道ガスが蒸気システムではなくプロセスユニットによって制御されるときに、独立して温度を制御することができるため、望ましい。これは、温度を低下させ、同時に、供給された水の直接接触加熱によって、所望の温度でより多くの蒸気を生成する。
【００１１】
動力回収タービンの蒸気流は、蒸気の温度を低下させるために、１つ以上の過熱低減器の上流、又はそれよりも下流のいずれかで除去することができる。下流で取り出される場合、過熱低減の量は、動力生成を最大化しながら、動力回収タービンを保護するために必要な量に制限される。上流で取り出される場合、動力回収タービンは、高温材料から作製される必要があり得、及び／又は対流区分の蒸気生成器が特別に設計される必要があり得る。
【００１２】
本発明の一態様は、プロセスユニット廃熱蒸気生成システムから電力を回収するためのプロセスである。一実施形態では、本プロセスは、第１の温度及び第１の圧力を有する過熱蒸気の流れを提供することと、過熱蒸気の流れを第１の部分及び第２の部分に分割することと、第１の部分と一緒に蒸気リボイラ内で塔からの底部流を加熱することと、加熱された底部流を塔に導入することと、過熱蒸気の第２の部分を動力回収タービンに通して方向付けて、第２の部分の圧力を第１の圧力未満の第２の圧力まで低減して減圧流を形成することと、を含む。
【００１３】
いくつかの実施形態では、減圧流は、蒸気ヘッダに方向付けられる。
【００１４】
いくつかの実施形態では、減圧流は、ポンプ、圧縮機、リボイラ、ストリッピング塔若しくは分留塔などの塔、又はプロセスユニットのうちの少なくとも１つに方向付けられる。
【００１５】
いくつかの実施形態では、蒸気リボイラは、蒸気入口及び凝縮物出口を有する熱交換器を備え、凝縮物を凝縮物返送ヘッダに方向付けることを更に含む。
【００１６】
いくつかの実施形態では、過熱蒸気の第１の部分の温度は、第１の温度未満の第２の温度まで低下して、底部流を加熱する前に過熱低減流を形成する。
【００１７】
いくつかの実施形態では、第１の部分の温度は、第１の部分を少なくとも１つの過熱低減器に導入することで低下され、第１の部分の温度を第１の温度未満の第２の温度まで低下させて、過熱低減流を形成する。
【００１８】
いくつかの実施形態では、少なくとも２つの過熱低減器が存在し、第２の過熱低減器を出る過熱低減流の温度は、第１の過熱低減器を出る過熱低減流の温度未満である。
【００１９】
いくつかの実施形態では、過熱低減水の流れが少なくとも１つの過熱低減器に導入されて、第１の部分の温度を低下させる。
【００２０】
いくつかの実施形態では、過熱蒸気の流れの第１の圧力は、第１の部分を少なくとも１つの過熱低減器に導入する前、及び第２の部分を動力回収タービンに通して方向付ける前に増加される。
【００２１】
いくつかの実施形態では、過熱蒸気の流れは、第１の部分を少なくとも１つの過熱低減器に導入する前に、第１の部分及び第２の部分に分割される。他の実施形態では、過熱蒸気の流れは、第１の部分を少なくとも１つの過熱低減器に導入した後に、第１の部分及び第２の部分の蒸気に分割される。
【００２２】
いくつかの実施形態では、減圧流は、第１の部分及び第２の部分に分割され、減圧流の第２の部分は、第２の動力回収タービンを通して方向付けられ、第２の部分の圧力を第２の圧力未満の第３の圧力まで低減させる。
【００２３】
いくつかの実施形態では、過熱低減流の一部は、圧力制御弁を通して選択的に方向付けられる。
【００２４】
いくつかの実施形態では、プロセスは、プロセスの少なくとも１つのパラメータを検知し、その検知から信号又はデータを生成すること、又は信号を生成して送信すること、又はデータを生成して送信することのうちの少なくとも１つを含む。
【００２５】
別の態様では、本プロセスは、少なくとも１つの改質器を含む少なくとも１つの触媒改質ゾーン内でナフサ含有流を改質して、改質油流を形成することと、改質油流を蒸留塔内で少なくとも２つの留分に分離することと、少なくとも１つのヒータの対流ゾーンからの熱を使用して水又は蒸気を加熱して、第１の温度及び第１の圧力を有する過熱蒸気の流れを提供することと、過熱蒸気の流れを第１の部分及び第２の部分に分割することと、過熱蒸気の第１の部分を少なくとも１つの過熱低減器に導入して、第１の部分の温度を第１の温度未満の第２の温度まで低下させて、過熱低減流を形成することと、過熱低減流と一緒に蒸気リボイラ内で蒸留塔からの底部流を加熱することと、加熱された底部流を蒸留塔に導入することと、過熱蒸気の第２の部分を動力回収タービンに通して方向付けて、第２の部分の圧力を第１の圧力未満の第２の圧力まで低減させて、減圧流を形成することと、を含む。
【００２６】
いくつかの実施形態では、蒸気リボイラは、蒸気入口及び凝縮物出口を有する熱交換器を備え、凝縮物出口における凝縮物は、第２の温度未満の温度を有し、凝縮物を凝縮物返送ヘッダに方向付けることを更に含む。
【００２７】
いくつかの実施形態では、少なくとも２つの過熱低減器が存在し、第２の過熱低減器を出る過熱低減流の温度は、第１の過熱低減器を出る過熱低減流の温度未満である。
【００２８】
いくつかの実施形態では、過熱蒸気の流れの第１の圧力は、第１の部分を少なくとも１つの過熱低減器に導入する前、及び第２の部分を動力回収タービンに通して方向付ける前に増加される。
【００２９】
いくつかの実施形態では、過熱蒸気の流れは、第１の部分を少なくとも１つの過熱低減器に導入する前に、第１の部分及び第２の部分に分割される。
【００３０】
いくつかの実施形態では、減圧流は、第１の部分及び第２の部分に分割され、減圧流の第２の部分は、第２の動力回収タービンを通って方向付けられ、第２の部分の圧力を第２の圧力未満の第３の圧力まで低減させる。
【００３１】
蒸気リボイラから電力を回収するためのプロセスは、改質プロセスに関連して後述するが、これに限定されることを意図するものではないことに留意すべきである。蒸気が全ての機器及び／又はプロセスに必要とされる圧力よりも高い圧力で生成される任意の状況で使用することができる。
【００３２】
一般に、触媒改質ゾーンは、少なくとも２つの改質器を有し、反応物流がこれらの改質器を通って連続的に流れる。複数の改質器を有する反応システムは、一般に、並列形態又は積み重ね形態の２つの形態のうちの１つを取る。並列形態では、各々が改質器を含むことができる複数の別個の反応容器を互いに並んで配置することができる。積み重ね形態では、１つの共通の反応容器が、互いの上部に配置され得る複数の別個の改質器を含有することができる。両方の反応システムでは、反応が吸熱又は発熱であり得るかどうかに応じて、改質器間に中間加熱又は冷却が存在し得る。
【００３３】
改質ゾーンは、ダウンフロー、アップフロー、クロスフロー、及び半径流などの炭化水素流のための任意の数の構成を含み得る。
【００３４】
改質プロセスは、固定触媒床、又は移動床反応容器及び移動床再生容器を採用することができる。
【００３５】
移動触媒床では、触媒粒子は、コンベヤー又は輸送流体を含む任意の数の駆動デバイスによって反応ゾーンを通って移動可能であってもよいが、最も一般的には、触媒粒子は、重力によって反応ゾーンを通って移動可能である。典型的には、半径流反応ゾーンでは、触媒粒子は、触媒床と呼ばれることがある内側スクリーンと外側スクリーンとの間の環状空間を充填することができる。触媒粒子は、反応ゾーンの底部から取り出すことができ、触媒粒子を反応ゾーンの上部に導入してもよい。最終反応ゾーンから取り出された触媒粒子はその後、プロセスから回収され、プロセスの再生ゾーンで再生されるか、又は別の反応ゾーンに移送することができる。同様に、反応ゾーンに添加される触媒粒子は、プロセスに新たに添加される触媒、プロセス内の再生ゾーンで再生された触媒、又は別の反応ゾーンから移送される触媒であってもよい。
【００３６】
典型的には、触媒床を通る触媒の移動速度は、１時間当たり４５．５ｋｇ（１００ポンド）〜１時間当たり２，７２２ｋｇ（６，０００ポンド）、又はそれ以上の範囲であり得る。
【００３７】
触媒改質のための通常の供給原料は、ナフサとして知られ、約８２℃（１８０°Ｆ）の初沸点と２０３℃（４００°Ｆ）の終沸点とを有する石油留分である。触媒改質プロセスは、特に、脱水素及び／又は環化反応を介して芳香族化を受ける、比較的高濃度のナフテン系及び実質的に直鎖のパラフィン系炭化水素から構成される、直留ナフサの処理に特に適用可能である。好ましい原料油は、主に、ガソリンの範囲内で沸騰し得るナフテン及びパラフィンからなるナフサであるが、多くの場合、芳香族も存在し得る。この好ましい部類としては、直留ガソリン、天然ガソリン、合成ガソリンなどが挙げられる。代替的な実施形態として、熱的又は触媒的に分解されたガソリン又は部分的に改質されたナフサを充填することがしばしば有利である。また、直留及び分解されたガソリンの範囲のナフサの混合物も有利に使用することができる。ガソリンの範囲のナフサの原料油は、４０〜８２℃（１０４〜１８０°Ｆ）の初沸点及び１６０〜２２０℃（３２０〜４２８°Ｆ）の範囲内の終沸点を有する完全な沸騰ガソリンであってもよいか、又はその選択された留分であってもよく、これは一般にヘビーナフサと呼ばれる高沸騰留分、例えば、１００〜２００℃（２１２〜３９２°Ｆ）の範囲で沸騰するナフサとすることができる。いくつかの場合では、純粋な炭化水素又は抽出ユニットから回収された炭化水素の混合物、例えば、芳香族抽出又は直鎖パラフィンからのラフィネートを充填することも有利であり、これらは芳香族に変換される。いくつかの他の場合では、供給原料はまた、１〜５個の炭素原子を有する軽質炭化水素を含有してもよいが、これらの軽質炭化水素は、芳香族炭化水素に容易に改質することができないため、供給原料と共に入るこれらの軽質炭化水素は、一般的に最小化される。
【００３８】
通常、触媒改質では、供給原料は、水素を含む再循環流と混合されて、一般に統合供給流と呼ばれるものを形成し、この統合供給流を反応ゾーン内の触媒と接触させる。
【００３９】
一般的な形態では、改質プロセスは、直列流形構成で相互接続されたいくつかの反応ゾーンにおいて触媒粒子を採用することができる。任意の数の反応ゾーンが存在し得るが、通常、反応ゾーンの数は３つ、４つ、又は５つである。改質反応は、一般に高温で起こり、一般に吸熱性であるため、各反応ゾーンは、通常、反応物質を所望の反応温度まで加熱する１つ以上の加熱ゾーンと関連している。
【００４０】
触媒粒子は、典型的には、１つ以上の第８族（ＩＵＰＡＣ８〜１０）貴金属（例えば、白金、イリジウム、ロジウム、及びパラジウム）及び耐火性無機酸化物などの多孔質担体と組み合わされたハロゲンから構成される。例えば、米国特許第２，４７９，１１０号は、アルミナ−白金−ハロゲン改質触媒を教示している。触媒は、０．０５〜２．０重量％の第８族金属を含有してもよいが、０．０５〜０．５重量％の第８族金属を含有する触媒などのより安価な触媒を使用してもよい。加えて、触媒は、インジウム及び／又はセリウムなどのランタニド系金属を含有してもよい。触媒粒子はまた、米国特許第４，９２９，３３３号、同第５，１２８，３００号、及びその中に引用される参考文献に記載されているような、１つ以上の第４Ａ族（ＩＵＰＡＣ  １４）金属（例えば、スズ、ゲルマニウム、及び鉛）を含有してもよい。ハロゲンは、典型的には塩素であり、アルミナは一般的に担体である。好適なアルミナ材料としては、ガンマ、エータ、及びシータアルミナが挙げられるが、これらに限定されない。触媒の性能に関する１つの特性は、担体の表面積である。好ましくは、担体は、１００〜５００ｍ２／ｇの表面積を有する。１３０ｍ２／ｇ未満の表面積を有する触媒の活性は、より高い表面積を有する触媒よりも触媒コークスにより悪影響を受ける傾向がある。一般に、粒子は、通常は回転楕円体であり、１．６〜３．１ｍｍ（１／１６〜１／８インチ）の直径を有するが、６．３５ｍｍ（１／４インチ）ほどの大きさ又は１．０６ｍｍ（１／２４インチ）ほどの小ささであってもよい。しかしながら、特定の改質反応ゾーンでは、比較的狭いサイズ範囲に含まれる触媒粒子を使用することが望ましい。
【００４１】
改質器の典型的な供給入口温度は、４４０〜５８０℃（８２４〜１０７６°Ｆ）、又は５００〜５８０℃（９３２〜１０７６°Ｆ）、又は５４０〜５８０℃（１００４〜１０７６°Ｆ）、又は少なくとも５４０℃（９３２°Ｆ）超である。改質器は、異なる動作温度を有してもよく、例えば、第１の改質反応器が５００〜５４０℃（９３２〜１００４°Ｆ）の温度を有し、第２の後続の改質反応器が５４０℃（１００４°Ｆ）超の温度を有する。改質器は、一般に、大気圧０〜６，８９５ｋＰａ（ｇ）（０ｐｓｉ（ｇ）〜１，０００ｐｓｉ（ｇ））、又は２７６〜１，３７９ｋＰａ（ｇ）（４０〜２００ｐｓｉ（ｇ））の圧力の範囲で動作することができる。反応条件はまた、０．６ｈｒ−１〜１０ｈｒ−１の範囲の液体時間空間速度（ＬＨＳＶ）も含む。好ましくは、ＬＨＳＶは、０．６ｈｒ−１〜５ｈｒ−１であり、より好ましい値は１ｈｒ−１〜５ｈｒ−１であり、最も好ましい値は２ｈｒ−１〜５ｈｒ−１である。より短い滞留時間は、より高い温度を利用するときに特に好ましい。触媒はまた、０．５時間〜３６時間の改質器中の滞留時間を有する。
【００４２】
加熱及び反応ゾーンの列を通る例示的な流れは、第１、第２、第３、及び第４の改質器を有する４つの反応ゾーン触媒改質プロセスであり、これについては以下のように説明することができる。
【００４３】
図１は、改質プロセス１００の一実施形態を示す。ナフサ含有炭化水素供給原料１０５は、水素含有再循環ガス１１０と混合して、統合供給流１１５を形成することができ、これは統合供給熱交換器１２０を通過し得る。統合供給熱交換器１２０では、統合供給流１１５は、第４の改質器の流出流１２５と熱を交換することによって加熱することができる。しかしながら、統合供給熱交換器１２０内で行われる統合供給流１１５の加熱は、一般に、統合供給流を第１の改質器の所望の入口温度に加熱するのには不十分である。
【００４４】
一般に、水素は、改質ゾーンに入る炭化水素供給原料の１モル当たり１〜２０モルの水素の量を提供するために供給される。水素は、改質ゾーンに入る炭化水素供給原料の１モル当たり３．５モル未満の水素の量を提供するために供給されてもよい。水素が供給される場合、統合供給熱交換器１２０の上流、統合供給熱交換器１２０の下流、又は統合供給熱交換器１２０の上流及び下流の両方に供給されてもよい。代替的に、改質ゾーンに炭化水素供給原料を入れる前に、水素を供給しなくてもよい。水素が炭化水素供給原料１０５を第１の改質器に供給しない場合であっても、第１の改質器内で発生するナフテン改質反応は、副生成物として水素を生じ得る。この副生成物、又はその場生成された水素は、第１の改質器流出物との混合物中で第１の改質器を去り、次いで水素として第２の改質器及び他の下流改質器に利用可能になり得る。第１の改質器中のこのその場の水素流出物は、通常、炭化水素供給原料の１モル当たり０．５〜２モルの水素に相当する。
【００４５】
通常、統合供給流１１５（又は水素供給原料と共に水素が提供されない場合、炭化水素供給原料１０５）は、一般には３８℃〜１７７℃（１００°Ｆ〜３５０°Ｆ）、より通常には９３℃〜１２１℃（２００°Ｆ〜２５０°Ｆ）の温度で統合供給熱交換器１２０に入る。水素は通常、炭化水素供給原料と共に提供されるため、この熱交換器は、炭化水素供給原料と共に水素が供給されていない場合であっても、本明細書では統合供給熱交換器１２０と称され得る。一般に、統合供給熱交換器１２０は、最後の改質反応ゾーンの流出流１２５から統合供給流１１５に熱を伝達することによって、統合供給流１１５を加熱する。好ましくは、統合供給熱交換器１２０は、直接ではなく間接的な熱交換器であり、これにより、最後の反応ゾーンの流出流１２５中の有益な改質油製品が、統合供給流１１５と混ざり、改質油の品質を低下させ得ることを防止する。
【００４６】
統合供給流１１５及び統合供給熱交換器１２０内の最後の反応ゾーン流出流１２５のフローパターンは、完全に並流、逆、混合、又はクロスフローであり得るが、フローパターンは、好ましくは向流である。シェルアンドチューブ型熱交換器及びプレート型熱交換器を含む、任意の好適な型の熱交換器を使用することができる。
【００４７】
一実施形態では、統合供給流１３０は、統合供給熱交換器１２０を、３９９℃〜５１６℃（７５０°Ｆ〜９６０°Ｆ）の温度で去ることができる。
【００４８】
統合供給熱交換器１２０を出た後、及び第１の改質器に入る前に、統合供給流１３０は、多くの場合、追加の加熱を必要とする。この追加の加熱は、一般にチャージヒータと呼ばれるチャージヒータ１３５内で行われ得、これは、統合供給流１３０を第１の改質器１４５の所望の入口温度まで加熱することができる。このようなヒータは、改質分野の当業者に周知の種類のガス焚き、油焚き、又はガス及び油焚き混合型ヒータとすることができる。チャージヒータ１３５は、放射及び／又は対流熱伝達によって、統合供給流１３０を加熱してもよい。改質プロセスのための商用焚きヒータは、典型的には、個々のヒータのための個々の放射熱伝達区分と、放射区分からの煙道ガスによって加熱される任意選択の共通の対流熱伝達区分と、を有する。
【００４９】
チャージヒータ１３５を去る統合供給流１４０の温度はまた、第１の改質器１４５の入口温度であり得る。
【００５０】
統合供給流１４０が第１の改質器１４５に通過すると、統合供給流１４０は変換反応を受け得る。
【００５１】
第１の改質器１４５で発生する吸熱改質反応のために、一般的に、第１の改質器１４５の流出物１５５の温度は、第１の改質器１４５への統合供給流１４０の温度未満になるだけでなく、第２の改質器１５０の所望の入口温度未満にもなる。したがって、第１の改質器１４５の流出物１５５は、第１のインターヒータ１６０と一般に呼ばれる別のヒータ１６０を通過することができ、これは、第１の改質器の流出物１５５を第２の改質器１５０の所望の入口温度まで加熱することができる。
【００５２】
一般に、ヒータ１６０は、第１の改質器１４５及び第２の改質器１５０などの２つの改質器の間に配置されているとき、インターヒータと呼ばれる。第１の改質器の流出物１５５は、インターヒータ１６０に送られ、第２の改質器１５０の入口温度まで加熱される（移送中の熱損失を許容する）。
【００５３】
第１のインターヒータ１６０を出ると、一般に、加熱された流出物１６５は第２の改質器１５０に入る。第１の改質器１４５と同様に、吸熱反応は、第２の改質器１５０にわたる温度の別の低下を引き起こし得る。しかしながら、一般に、第２の改質器１５０にわたる温度低下は、第１の改質器１４５にわたる温度低下よりも低い。なぜなら、第２の改質器１５０で発生する反応は、一般に、第１の改質器１４５で発生する反応よりも吸熱性が低いからである。第２の改質器１５０にわたる幾分低い温度低下にもかかわらず、第２の改質器１５０の流出物１７０は依然として、第３の改質器１７５の所望の入口温度よりも低い温度である。
【００５４】
第２の改質器の流出物１７０は、第２のインターヒータ１８０（第１の改質器１４５と第２の改質器１５０との間の前述のインターヒータ１６０である第１のインターヒータ）を通過することができ、加熱された流出物１８５は、第３の改質器１７５へと通過することができる。
【００５５】
同様に、第３の改質器の流出物１９０は、第３のインターヒータ１９５へと通過することができ、加熱された流出物２００は、第４の改質器２０５へと通過することができる。
【００５６】
第４の改質器の流出物流１２５は、統合供給流１１５に熱を伝達することによって、統合供給熱交換器１２０内で冷却される。統合供給熱交換器１２０を去った後、第４の改質器２０５からの冷却された流出物２１０は、製品回収区分（図示せず）へと通過する。
【００５７】
好適な製品回収区分は、改質分野の当業者に既知である。例示的な製品回収設備としては、一般に、水素とＣ１〜Ｃ３の炭化水素ガスを最後の反応ゾーン流出流から分離するための気液分離器と、Ｃ４〜Ｃ５の軽質炭化水素の少なくとも一部分を改質油の残りから分離するための分留塔と、が挙げられる。加えて、改質油は、蒸留によって、軽質改質油留分及び重質改質油留分に分離してもよい。
【００５８】
図２は、典型的な製品回収区分の一部分３００を示す。蒸留塔３０５は、蒸気リボイラ３１０を含む。蒸留塔３０５は、当技術分野において既知であるように、脱部プロパン塔、脱ブタン塔、脱ペンタン塔、脱ヘキサン塔など、ストリッパ塔、スプリッタ塔、及び同様のものであってもよい。
【００５９】
蒸気リボイラ３１０の蒸気は、蒸気ドラム３１５から来る。蒸気の流れ３２０は、過熱器３２５に送られて、温度を上昇させる。一例として、過熱蒸気の流れ３３０は、４１３℃〜４４０℃（７７５°Ｆ〜８２５°Ｆ）の範囲の温度、及び４．６〜５．２ＭＰａ（ｇ）（６６０ｐｓｉｇ〜７５０ｐｓｉｇ）の範囲の圧力を有し得る。
【００６０】
過熱蒸気の流れ３３０は、過熱低減水３４０を使用して蒸気の温度を低下させる過熱低減器３３５に送られる。過熱低減蒸気の流れ３４５の温度は、温度制御弁３５０によって制御される。過熱低減蒸気の流れ３４５の圧力は、最終要素圧力制御弁３９５を有する圧力コントローラ４０５によって制御される。一例として、過熱低減蒸気の流れ３４５は、３８５〜４１３℃（７２５°Ｆ〜７７５°Ｆ）の範囲の温度、及び４．５〜５．１ＭＰａ（ｇ）（６５０ｐｓｉｇ〜７４０ｐｓｉｇ）の範囲の圧力を有し得る。
【００６１】
過熱低減蒸気の流れ３４５は、第１の部分３５５及び第２の部分３６０に分割される。第１の部分３５５は、過熱低減水３４０を使用して更に冷却される過熱低減器３６５に送られる。過熱低減された第１の部分３７０の温度は、温度制御弁３７５によって蒸気リボイラに好適な温度に制御される。一例として、過熱低減された第１の部分３７０は、２５０〜３００℃の範囲の温度、及び４．４〜５ＭＰａの範囲の圧力を有してもよい。
【００６２】
過熱低減された第１の部分３７０は、蒸気リボイラ３１０に送られ、そこで底部流３８０と熱交換する。再加熱された底部流３８５は、蒸留塔３０５に戻される。凝縮物３９０は、更なるプロセス及び再利用のために凝縮物ヘッダ（図示せず）に送られる。
【００６３】
第２の部分３６０は、蒸気の圧力を低減する制御弁３９５を通過する。減圧蒸気の流れ４００は、蒸気ヘッダ（図示せず）に送られ、そこで、使用のための他のプロセス及び機器に送られ得る。減圧蒸気の流れ４００の圧力は、蒸気ヘッダシステム（図示せず）内の他の要素によって制御される。一例として、減圧蒸気の流れ４００は、３８５〜４１３℃の範囲の温度、及び１〜５ＭＰａ、又は４〜４．３ＭＰａの範囲の圧力を有し得る。
【００６４】
図３は、本発明による製品回収区分の一部分５００の一実施形態の図である。蒸留塔５０５は、蒸気リボイラ５１０を含む。
【００６５】
蒸気リボイラ５１０の蒸気は、蒸気ドラム５１５から来る。蒸気の流れ５２０は、過熱器５２５に送られて、温度を上昇させる。一例として、過熱蒸気の流れ５３０は、４１３℃〜４４０℃（７７５°Ｆ〜８２５°Ｆ）の範囲の温度、及び４．６〜５．２ＭＰａ（ｇ）（６６０ｐｓｉｇ〜７５０ｐｓｉｇ）の範囲の圧力を有し得る。
【００６６】
過熱流５３０の流れは、２つの部分５３５、５４０に分割される。過熱流５３０の流れは、過熱低減器５４５を通過する前に分割され得る。代替的に、流れは、過熱低減器５４５を通過した後に分割され得る（点線で示される）。
【００６７】
第１の部分５３５における蒸気の温度は、過熱低減水５５０を使用して過熱低減器５４５内で低下する。過熱低減蒸気の流れ５５５の温度は、温度制御弁５６０によって制御される。過熱低減蒸気の流れ５３５の圧力は、圧力コントローラ６０５によって制御される。一例として、過熱低減蒸気の流れ５５５は、３８５℃〜４１３℃（７２５°Ｆ〜７７５°Ｆ）の範囲の温度、及び４．５〜５．１ＭＰａ（ｇ）（６５０ｐｓｉｇ〜７４０ｐｓｉｇ）の範囲の圧力を有し得る。
【００６８】
過熱低減蒸気の流れ５５５は、過熱低減水５５０を使用して更に冷却される過熱低減器５６５に送られる。過熱低減蒸気５７０の温度は、温度制御弁５７５によって蒸気リボイラに好適な温度に制御される。一例として、過熱低減蒸気５７０は、２５０〜３００℃の範囲の温度、及び４．４〜５ＭＰａの範囲の圧力を有してもよい。
【００６９】
過熱低減蒸気５７０は、蒸気リボイラ５１０に送られ、そこで、底部流５８０と熱交換する。再加熱された底部流５８５は、蒸留塔５０５に戻される。凝縮物５９０は、更なるプロセス及び再利用のために凝縮物ヘッダ（図示せず）に送られる。
【００７０】
第２の部分５４０は、蒸気の圧力低減から動力を生成する、関連する生成器（図示せず）を伴う動力回収タービン５９５を対象とする。圧力コントローラ６０５は、流れ５４０の質量流量を調整することによって流れ５５５の圧力を制御する。圧力コントローラは、動力回収タービン又は他の手段の入口ガイドベーン（図示せず）を制御することによって圧力を制御してもよい。動力回収タービン５９５を出る蒸気の圧力は、高圧蒸気（しかし、初期圧力よりも低い）、中圧、又は低圧であり得る。減圧蒸気の流れ６００は、蒸気ヘッダ（図示せず）に送られ、そこで、例えば、ポンプ、圧縮機、リボイラ、ストリッピング若しくは分留塔、又は流体触媒分解ユニット内の立ち上がり管などの他のプロセスユニット、及び同様のものなどの使用のための他のプロセス及び機器に送られ得る。
【００７１】
減圧蒸気の流れ６００の圧力は、蒸気ヘッダシステム（図示せず）内の他の要素によって制御される。一例として、減圧蒸気の流れ６００は、２００〜４００℃の範囲の温度、及び１〜４．５ＭＰａ又は２〜２．５ＭＰａの範囲の圧力を有し得る。
【００７２】
温度及び圧力制御システムは、検知要素、コントローラ、及び最終制御要素を含む。センサは、コントローラ６１０にデータを送信することができ、このコントローラは、最終制御要素５６０、５７５、６１５、又は動力回収タービンガイドベーン（図示せず）に信号を送信して、プロセスを制御することができる。
【００７３】
既存のシステムでは、制御弁６１５は、動力制御タービン５９５がオフライン（例えば、メンテナンス用）である場合には、必要に応じて、バックアップ弁として維持され得る。圧力コントローラ６０５は、動力回収タービンの入口ガイドベーン（図示せず）の代わりに、又はそれに加えて制御弁６１５を使用してもよい。代替的に、予備タービンが含まれてもよい。
【００７４】
いくつかの状況では、動力回収タービンにおいてより高い効率を得ることによって、より多くの動力を生成させるために、過熱蒸気５３０の圧力を増加させることができる。効率が同じであっても、生成された蒸気の１ポンド当たりの圧力増加Δにより、より多くの動力が生成される。
【００７５】
所与の温度及び圧力は、単なる例示であり、本発明を限定することを意図するものではないことに留意されたい。
【００７６】
本発明のデバイス及びプロセスは、触媒改質反応ゾーンで利用されるものとして想到されている。既知のように、そのような触媒改質反応ゾーンは、典型的には制御センター内のコンピュータ上の、プロセス制御システムを利用する。
【００７７】
本明細書に開示される実施形態との関連で記載されるプロセス制御システムは、コンピュータ上で汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラム可能な論理デバイス、別個のゲート若しくはトランジスタ論理、別個のハードウェア構成要素、又は本明細書に記載される機能を実行するように設計されたそれらの任意の組み合わせによって実施又は実行することができる。汎用プロセッサは、マイクロプロセッサであってもよく、又はプロセッサは、いずれの従来のプロセッサ、コントローラ、マイクロコントローラ、又はステートマシンであってもよい。プロセッサはまた、例えば、ＤＳＰとマイクロプロセッサとの組み合わせ、２つ以上のマイクロプロセッサ、又は上記のものの任意の他の組み合わせなどの計算装置の組み合わせであってもよい。
【００７８】
プロセス制御システムに関連したプロセスの各ステップは、ハードウェアに直接含まれるアルゴリズムにおいて、プロセッサによって実行されるソフトウェアモジュールにおいて、又はこれら２つの組み合わせにおいて具現化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野では周知の他の任意の形態の記憶媒体内に存在してよい。例示的な記憶媒体としては、プロセッサが記憶媒体から情報を読み取り、記憶媒体に情報を書き込むようにプロセッサと通信するものがある。これは、記憶媒体がプロセッサと統合されていることを含む。プロセッサ及び記憶媒体は、ＡＳＩＣ内に存在してもよい。ＡＳＩＣは、ユーザ端末内に存在してもよい。代替的に、プロセッサ及び記憶媒体は、ユーザ端末内の別個の構成要素として存在してもよい。これらのデバイスは、あくまでコンピュータ可読記憶媒体の例示的かつ非限定的な例として意図されるものである。プロセッサ及び記憶媒体又はメモリはまた、例えば、入力チャネル、制御論理のプロセッサ、制御システム内の出力チャネル、及び制御センター内のオペレータステーション間など、異なる構成要素、コンピュータ、プロセッサなどの間の有線又は無線通信を可能とするハードウェア（例えば、ポート、インターフェース、アンテナ、増幅器、信号プロセッサなど）と一般的に通信する。
【００７９】
コンピュータ及びプロセッサと通信する、とは、情報又はデータを送受信する能力を指す。データ又は情報の送信は、無線伝送（例えば、Ｗｉ−Ｆｉ又はＢｌｕｅｔｏｏｔｈによって）又は有線伝送（例えば、Ｅｔｈｅｒｎｅｔ  ＲＪ４５ケーブル又はＵＳＢケーブルを使用する）であってよい。無線伝送の場合、無線送受信機（例えば、Ｗｉ−Ｆｉ送受信機）は、各プロセッサ又はコンピュータと通信する。送信は、コンピュータの要求のあった場合に、又はコンピュータからの要求に応じて、又は他の方法で自動的に実行することができる。データは、任意の組み合わせでプッシュ、引き出し、フェッチなどするか、又は任意の他の形で送信及び受信することができる。
【００８０】
したがって、本発明によれば、プロセス制御システムは、動力回収タービン５９５による発電量に対して、動力回収タービン５９５からの情報を受信することが想到される。動力回収タービン５９５は、動力回収タービンが生成した電気の量を（プロセッサにより）決定することが想到される。代替的に、情報を受信したプロセス制御システムは、動力回収タービン５９５による発電量を決定する。いずれの構成においても、動力回収タービン５９５による発電量は、制御センター内のコンピュータに関連付けられた少なくとも１つの表示画面上に表示される。触媒改質反応ゾーンが複数の動力回収タービン５９５を備える場合、プロセス制御システムは、動力回収タービン５９５の各々による発電量に関連付けられた情報を受信することが更に想到される。プロセス制御システムは、動力回収タービン５９５の各々に関連付けられた情報に基づいて、総発電力を決定し、表示画面上にその総発電力を表示する。総発電力を、個々の動力回収タービン５９５による発電力量の代わりに、又はそれと併せて表示することもできる。
【００８１】
電気は、典型的に触媒改質反応ゾーン全体に加えられる回収可能な超過エネルギーを表すので、プロセス制御システムは、触媒改質反応ゾーン及び塔リボイラシステムのスループット、供給品質、製品品質などに関連付けられた情報を受信し、そのタービン（複数可）の目標発電値を決定することが想到される。目標発電値の決定は、電気が所定のレベル又はその付近にある場合に行うことができる。換言すれば、発電量が所定のレベルを満たすか又はそれを上回る場合、プロセス制御システムは、発電量が標的発電量値に達するまで発電量を調整及び低下させるための１つ以上のプロセス条件を決定することができる。
【００８２】
したがって、プロセス制御システムは、触媒改質反応ゾーン又は塔リボイラシステムに関連付けられた様々なプロセス条件に対する１つ以上の変更を分析して、触媒改質反応ゾーンの動力回収タービンによって回収されるエネルギーの量を低下させる。好ましくは、プロセス条件は、触媒改質ゾーンのスループットを調整することなく調整される。これにより、触媒改質反応ゾーンは、同じスループットに関連付けられる稼働コストをより低くしながらも、同じスループットを有することが可能となる。プロセス制御ソフトウェアは、目標発電値と発電された総電力との間の差を計算して表示画面に表示することができる。
【００８３】
例えば、プロセス制御ソフトウェアは、発電された総電力が所定のレベルを上回ることを認識することができる。これにより、プロセス制御ソフトウェアは、目標発電値を決定することができる。典型的に、触媒改質反応ゾーン及び塔リボイラシステムに関連付けられる他のセンサ及びデータ収集デバイスから受信された他のデータ及び情報に基づいて、プロセス制御ソフトウェアは、ヒータ内で消費される燃料の量が減少され得ると判定し得る。触媒改質反応ゾーンのスループットを維持しながら、ヒータ内で消費される燃料の量が減少される。これは、動力回収タービンによって生成される電力を低下させ得るが、より低い燃料消費量は、同じスループットに対する稼働コストをより低くする。また、圧力又は流動が低減されることは水素圧縮機のスループットに最適であるということも判断され得る。このようにして、圧縮機ドライバへの蒸気又は電気が減少され得る。
【００８４】
したがって、本発明では、典型的には損失されるエネルギーが、触媒改質反応ゾーン内の他の場所で使用される形態へと変換されるだけでなく、触媒改質反応ゾーンには、触媒改質反応ゾーン全体に関連付けられるエネルギー入力を低減し、よりエネルギー効率的なプロセスを利用することによって利益を増加させる機会が提供される。
【００８５】
弁、ポンプ、フィルタ、冷却器などの様々な他の構成要素は、それらの詳細が当業者の知識の範囲内であり、また、それらの説明は本発明の実施形態を実施又は理解するうえで必要でないと考えられるため、図示されていない点は当業者には認識及び理解されるはずである。
【００８６】
上記のライン、導管、ユニット、デバイス、容器、周囲環境、ゾーン、又は同様のもののいずれも、センサ、測定デバイス、データ捕捉デバイス、又はデータ送信デバイスを含む１つ以上の監視構成要素を装備してもよい。監視構成要素からの信号、プロセス、又は状態測定値、並びにデータを使用して、プロセス機器内、その周囲、及びその上の状況を監視することができる。監視構成要素によって生成又は記録された信号、測定値、及び／又はデータは、プライベート若しくはパブリック、一般的若しくは特定的、直接若しくは間接的、有線若しくは無線、暗号化若しくは非暗号化、及び／又はそれらの組み合わせ（複数可）であってもよい１つ以上のネットワーク又は接続を介して収集、処理、及び／又は送信されてもよい。本明細書は、この点において限定することを意図するものではない。
【００８７】
監視構成要素によって生成又は記録された信号、測定値、及び／又はデータは、１つ以上のコンピューティングデバイス又はシステムに送信されてもよい。コンピューティングデバイス又はシステムは、少なくとも１つのプロセッサと、少なくとも１つのプロセッサによって実行されると、１つ以上のコンピューティングデバイスに１つ以上の工程を含み得るプロセスを実行させる、コンピュータ可読命令を記憶するメモリと、を含み得る。例えば、１つ以上のコンピューティングデバイスは、１つ以上の監視構成要素から、プロセスに関連付けられた機器の少なくとも一部に関連するデータを受信するように構成されてもよい。１つ以上のコンピューティングデバイス又はシステムは、データを分析するように構成されてもよい。データの分析に基づいて、１つ以上のコンピューティングデバイス又はシステムは、本明細書に記載される１つ以上のプロセスの１つ以上のパラメータに対する１つ以上の推奨される調整を決定するように構成されてもよい。１つ以上のコンピューティングデバイス又はシステムは、本明細書に記載される１つ以上のプロセスの１つ以上のパラメータに対する１つ以上の推奨される調整を含む暗号化又は非暗号化データを送信するように構成されてもよい。
【００８８】
上記の本発明の詳細な説明において、少なくとも１つの例示的な実施形態を提示したが、膨大な数の変形例が存在する点を理解されたい。例示的な実施形態（複数可）は、あくまで実例にすぎず、いかなる意味でも発明の範囲、適用可能性、又は構成の限定を目的としていない点もまた理解されるはずである。むしろ、上記の詳細な説明は、発明の例示的な実施形態を実施するうえで便利な指針を当業者に提供するものであり、添付の特許請求の範囲及びそれらの法的均等物に記載される発明の範囲から逸脱することなく、例示的な実施形態に記載される機能及び要素の配置に様々な変更がなされ得る点は理解されよう。
【００８９】
特定の実施形態
以下を特定の実施形態と併せて説明するが、この説明は、前述の説明及び添付の特許請求の範囲を例示するものであり、限定するものではないことが理解されるであろう。
【００９０】
本発明の第１の実施形態は、プロセスユニット廃熱蒸気生成システムから電力を回収するためのプロセスであって、第１の温度及び第１の圧力を有する過熱蒸気の流れを提供することと、過熱蒸気の流れを第１の部分及び第２の部分に分割することと、第１の部分と一緒に蒸気リボイラ内で塔からの底部流を加熱することと、加熱された底部流を塔に導入することと、過熱蒸気の第２の部分を動力回収タービンに通して方向付けて、第２の部分の圧力を第１の圧力未満の第２の圧力まで低減させて、減圧流を形成することと、を含む、プロセスである。本発明の一実施形態は、本段落の先の実施形態から本段落の第１の実施形態までのうちの１つ、いずれか、又は全てであり、減圧流を蒸気ヘッダに方向付けることを更に含む。本発明の一実施形態は、本段落の先の実施形態から本段落の第１の実施形態までのうちの１つ、いずれか、又は全てであり、減圧流を、ポンプ、圧縮機、リボイラ、塔、又はプロセスユニットのうちの少なくとも１つに方向付けることを更に含む。本発明の一実施形態は、本段落の先の実施形態から本段落の第１の実施形態までのうちの１つ、いずれか、又は全てであり、蒸気リボイラは、蒸気入口及び凝縮物出口を有する熱交換器を含み、凝縮物を凝縮物返送ヘッダに方向付けることを更に含む。本発明の一実施形態は、本段落の先の実施形態から本段落の第１の実施形態までのうちの１つ、いずれか、又は全てであり、過熱蒸気の第１の部分の温度を第１の温度未満の第２の温度まで低下させて、底部流を加熱する前に過熱低減流を形成することを更に含む。本発明の一実施形態は、本段落の先の実施形態から本段落の第１の実施形態までのうちの１つ、いずれか、又は全てであり、第１の部分の温度は、第１の部分を少なくとも１つの過熱低減器に導入することによって低下され、第１の部分の温度を第１の温度未満の第２の温度まで低下させて、過熱低減流を形成する。本発明の一実施形態は、本段落の先の実施形態から本段落の第１の実施形態までのうちの１つ、いずれか、又は全てであり、少なくとも２つの過熱低減器が存在し、第２の過熱低減器を出る過熱低減流の温度は、第１の過熱低減器を出る過熱低減流の温度未満である。本発明の一実施形態は、本段落の先の実施形態から本段落の第１の実施形態までのうちの１つ、いずれか、又は全てであり、過熱低減水の流れを少なくとも１つの過熱低減器に導入して、第１の部分の温度を低下させることを更に含む。本発明の一実施形態は、本段落の先の実施形態から本段落の第１の実施形態までのうちの１つ、いずれか、又は全てであり、第１の部分を少なくとも１つの過熱低減器に導入する前、及び第２の部分を動力回収タービンに通して方向付ける前に、過熱蒸気の流れの第１の圧力を増加させることを更に含む。本発明の一実施形態は、本段落の先の実施形態から本段落の第１の実施形態までのうちの１つ、いずれか、又は全てであり、過熱蒸気の流れは、第１の部分を少なくとも１つの過熱低減器に導入する前に、第１の部分及び第２の部分に分割される。本発明の一実施形態は、本段落の先の実施形態から本段落の第１の実施形態までのうちの１つ、いずれか、又は全てであり、過熱蒸気の流れは、第１の部分を少なくとも１つの過熱低減器に導入した後に、第１の部分及び第２の部分に分割される。本発明の一実施形態は、本段落の先の実施形態から本段落の第１の実施形態までのうちの１つ、いずれか、又は全てであり、減圧流を第１の部分及び第２の部分に分割することと、減圧流の第２の部分を第２の動力回収タービンに通して方向付けて、第２の部分の圧力を第２の圧力未満の第３の圧力まで低減させることと、を更に含む。本発明の一実施形態は、本段落の先の実施形態から本段落の第１の実施形態までのうちの１つ、いずれか、又は全てであり、過熱低減流の一部分を圧力制御弁を通して選択的に方向付けることを更に含む。本発明の一実施形態は、本段落の先の実施形態から本段落の第１の実施形態までのうちの１つ、いずれか、又は全てであり、プロセスの少なくとも１つのパラメータを検知し、その検知から信号又はデータを生成すること、又は信号を生成して送信すること、又はデータを生成して送信することのうちの少なくとも１つを更に含む。
【００９１】
本発明の第２の実施形態は、触媒改質プロセスにおける電力を回収するためのプロセスであって、少なくとも１つの改質器を含む少なくとも１つの触媒改質ゾーンにおいてナフサ含有流を改質して、改質油流を形成することと、改質油流を蒸留塔内で少なくとも２つの留分に分離することと、少なくとも１つのヒータの対流ゾーンからの熱を使用して水又は蒸気を加熱して、第１の温度及び第１の圧力を有する過熱蒸気の流れを提供することと、過熱蒸気の流れを第１の部分及び第２の部分に分割することと、過熱蒸気の第１の部分を少なくとも１つの過熱低減器に導入して、第１の部分の温度を第１の温度未満の第２の温度まで低下させて、過熱低減流を形成することと、過熱低減流と一緒に蒸気リボイラ内で蒸留塔からの底部流を加熱することと、加熱された底部流を蒸留塔に導入することと、過熱蒸気の第２の部分を動力回収タービンに通して方向付けて、第２の部分の圧力を第１の圧力未満の第２の圧力まで低減させて、減圧流を形成することと、を含む、プロセスである。本発明の一実施形態は、本段落の先の実施形態から本段落の第２の実施形態までのうちの１つ、いずれか、又は全てであり、蒸気リボイラは、蒸気入口及び凝縮物出口を有する熱交換器を備え、凝縮物出口における凝縮物は、第２の温度未満の温度を有し、凝縮物を凝縮物返送ヘッダに方向付けることを更に含む。本発明の一実施形態は、本段落の先の実施形態から本段落の第２の実施形態までのうちの１つ、いずれか、又は全てであり、少なくとも２つの過熱低減器が存在し、第２の過熱低減器を出る過熱低減流の温度は、第１の過熱低減器を出る過熱低減流の温度未満である。本発明の一実施形態は、本段落の先の実施形態から本段落の第２の実施形態までのうちの１つ、いずれか、又は全てであり、第１の部分を少なくとも１つの過熱低減器に導入する前、及び第２の部分を動力回収タービンに通して方向付ける前に、過熱蒸気の流れの第１の圧力を増加させることを更に含む。本発明の一実施形態は、本段落の先の実施形態から本段落の第２の実施形態までのうちの１つ、いずれか、又は全てであり、過熱蒸気の流れは、第１の部分を少なくとも１つの過熱低減器に導入する前に、第１の部分及び第２の部分に分割される。本発明の一実施形態は、本段落の先の実施形態から本段落の第２の実施形態までのうちの１つ、いずれか、又は全てであり、減圧流を第１の部分及び第２の部分に分割することと、減圧流の第２の部分を第２の動力回収タービンに通して方向付けて、第２の部分の圧力を第２の圧力未満の第３の圧力まで低減させることと、を更に含む。
【００９２】
更に説明することなく、前述の説明を用いて、当業者が、本発明の趣旨及び範囲から逸脱することなく本発明を最大限に利用し、本発明の本質的な特性を容易に確認でき、本発明の様々な変更及び修正を行い、様々な使用及び条件に適合させることができると考えられる。したがって、先行する好ましい特定の実施形態は、単なる例示として解釈されるべきであり、いかなるようにも本開示の残りを限定するものではなく、添付の特許請求の範囲内に含まれる様々な修正及び同等の構成を網羅することを意図するものである。
【００９３】
上記では、全ての温度は摂氏度で記載され、全ての部及び百分率は、別途記載のない限り、重量基準である。
【図１】
2021529285.tif 000003
【図２】
2021529285.tif 000004
【図３】
2021529285.tif 000005
【国際調査報告】
2021529285.tif 000006